(57)【要約】      （修正有）【課題】小用時の男性器取り出しに余分な時間をかけず尿失禁の不安を軽減・解消できる男性用ズボン下を提供する。【解決手段】長ズボン下、ズボン下並びにブリーフの開口部をズボンの開口部ファスナーと縦に同一線上に作りこんだものとし、形状はトランクス開口部形状のように中心線上に直線的に配置する。あるいは、長ズボン下またはズボン下の開口部を横向きに変更し、ズボンの開口部ファスナーから容易に手指が入るものとする。また、男性用ズボン・デニムパンツ・ジーンズ・作業ズボン・作業パンツ・綿パンツの開口部ファスナー止り位置を変更し、前股繰り下端から４〜５ｃｍのところに設置して開口部を下方へ拡張する。【選択図】図１
0003232026.tif 000002
【実用新案登録請求の範囲】
【請求項１】
複数下着を着用した高齢者等男性の排尿時の容易さの確保のために、男性用長ズボン下、ズボン下の開口部をズボンの開口部ファスナーと縦に同一線上に合わせ
高齢者等男性が男性器をスムースに取り出せるようにした男性用長ズボン下、ズボン下。
【請求項２】
複数下着を着用した高齢者等男性の排尿時の容易さの確保のために男性用長ズボン下、男性用ズボン下の開口部を横向きに設け、高齢者等男性がズボンの
ファスナーから容易にその横向き開口部及びその下に装着しているトランクスまたは変更後のブリーフ開口部に手指が入り男性器をスムースに取り出せるよう
にした男性用長ズボン下、ズボン下。
【請求項３】
複数下着を着用した高齢者等男性の排尿時の容易さの確保のために、男性用前空きブリーフの開口部をズボンの開口部ファスナー、変更後の男性用長ズボン下、
または男性用ズボン下と縦に同一線上に合わせたものとし高齢者等男性が男性器をスムースに取り出せるようにした男性用ブリーフ。
【請求項４】
開口部ファスナー止り位置を現状より下へ下げ前股繰り下端から４〜５cmのところに変更し開口部を下方へ拡張した男性用のズボン・デニムパンツ・ジーンズ・
作業ズボン・作業パンツ・綿パンツ。
【考案の詳細な説明】
【技術分野】
【０００１】
本考案は高齢者等男性の排尿時に関する。
【背景技術】
【０００２】
本考案は、ズボン（ファスナー付き）の下に下着を複数着用している場合の排尿時に複数の下着の開口部の位置がまちまちであるため、また男性用ズボン等
開口部ファスナー止り位置が高いため、男性器取り出しに余分な時間がかかり、過活動膀胱等の高齢者をはじめ尿失禁の不安を感じることが多い。
【先行技術文献】
【非特許文献】
【０００３】
【非特許文献１】なし
【考案の概要】
【考案が解決しようとする課題】
【０００４】
解決しようとする課題は、長ズボン下またはズボン下の開口部とトランクスまたはブリーフの開口部並びに男性用ズボン・デニムパンツ・ジーンズ・作業ズボン・
作業パンツ・綿パンツの開口部に工夫を加えることによって男性器取り出しに余分な時間をかけず尿失禁の不安を軽減・解消することである。    
【課題を解決するための手段】
【０００５】
１．長ズボン下またはズボン下の開口部をズボンの開口部ファスナーと縦に同一線上に作りこんだものとする。また、その形状は通常のブリーフにみられる開口部とは異なって、ステテコとかトランクスの開口部形状のように中心線上に直線的に配置した開口部とする。なお、トランクスではない下着即ち開口部付きブリーフで開口部が中心線より離れて右下腹部側にあるような場合には、そのブリーフ自体も開口部が中心線上にくるように変更したものにする必要がある。
２．長ズボン下またはズボン下の開口部を横向きに設けたものにする。そしてズボンの開口部ファスナーから容易にその横向き開口部及びその下に装着しているトランクス開口部または変更後のブリーフ開口部に手指が入るものとする。
３．男性用ズボン・デニムパンツ・ジーンズ・作業ズボン・作業パンツ・綿パンツの開口部ファスナー止り位置が高いため変更後の男性用着開口部を通しても男性器
の取り出しには腰を若干曲げる等時間がかかるため、このファスナー止り位置を下げる必要がある。具体的には、前股繰りの下端から開口部ファスナー止り位置
迄の長さを４〜５cmとする。
【考案の効果】
【０００６】
１．  ズボン開口部ファスナー、長ズボン下またはズボン下の開口部そしてトランクスまたは変更後のブリーフ開口部が同一線上にあるため、男性器取り出しが容易になる。
２． ズボンの開口部ファスナーから容易に長ズボン下またはズボン下の横向き開口部及びその下に装着しているトランクスまたは変更後のブリーフ開口部にも容易に手指が入るため、男性器取り出しが容易になる。
３．男性用ズボン・デニムパンツ・ジーンズ・作業ズボン・作業パンツ・綿パンツの開口部の下方への拡張により男性用下着の下にある男性器取り出しが容易になる。
【図面の簡単な説明】
【０００７】
【図１】本考案にかかわる解決手段１の男性用長ズボン下、男性用ズボン下の平面図である。なお、変更後のブリーフについては当該長ズボン下、ズボン下の股上部分とする。
【図２】本考案にかかわる解決手段２の男性用長ズボン下、男性用ズボン下の平面図である。なお、変更後のブリーフについては当該長ズボン下、ズボン下の股上部分とする。
【図３】本考案にかかわる解決手段２の男性用長ズボン下、男性用ズボン下の平面図である。なお、変更後のブリーフについては当該長ズボン下、ズボン下の股上部分とする。（図2）と異なる点は、（図2）の開口部は下部に位置しているため手指をかけて若干まくり上げその下のトランクス又は変更後のブリーフ開口部に入るが、（図3）の開口部は上部に位置しており、そこから手指が入りその下のトランクスまたは変更後のブリーフの開口部に入る。
【図４】現状の長ズボン下、ズボン下の平面図である。なお、ブリーフについては当該長ズボン下、ズボン下の股上部分となる。
【符号の説明】
【０００８】
１  は、下着の中心線を示す
２  は、前身ごろを示す
３  は、開口部を示す
【考案を実施するための形態】
【０００９】
（図1）に示すように、下着の中心線より左に前身ごろ１を作ることによりズボンの開口部ファスナーから入った手指が直ちに右開口部２（そして、その下の
トランクスまたは変更後のブリーフ開口部）に入り男性器の取り出しがスムースに行われ尿失禁の不安の軽減・解消ができる。
また、（図2）、（図3）に示すように、長ズボン下またはズボン下に中央線をまたぐ前身ごろ２をつくり、そこに横向きの開口部３をつくることにより、ズボン
の開口部ファスナーから入った手指が直ちにその下のトランクスまたは変更後のブリーフ開口部に入り、男性器の取り出しがスムースにおこなわれ尿失禁の不安
の軽減・解消ができる。      
男性用ズボン・デニムパンツ・ジーンズ・作業ズボン・作業パンツ・綿パンツの開口部ファスナー止り位置が高いため変更して下げる。具体的には、前股繰りの
下端から開口部ファスナー止り位置までの長さを４〜５cmとすることにより開口部が下方に拡張され男性器の取り出しがスムースにおこなわれ尿失禁の不安の
軽減・解消ができる。      
【図１】
0003232026.tif 000003
【図２】
0003232026.tif 000004
【図３】
0003232026.tif 000005
【図４】
0003232026.tif 000006
【手続補正書】
【提出日】令和3年1月12日(2021.1.12)
【手続補正１】
【補正対象書類名】実用新案登録請求の範囲
【補正対象項目名】全文
【補正方法】変更
【補正の内容】
【実用新案登録請求の範囲】
【請求項１】
複数下着を着用した高齢者等男性の排尿時の容易さの確保のために、男性用ズボン下の開口部を男性用ズボン下の中心線上に合わせ高齢者等男性が男性器をスムースに取り出せるようにした男性用ズボン下。
【請求項２】
複数下着を着用した高齢者等男性の排尿時の容易さの確保のために男性用ズボン下の開口部を横向きに設け、高齢者等男性がズボンのファスナーから容易にその横向き開口部及びその下に装着しているトランクスまたはブリーフ開口部に手指が入り男性器をスムースに取り出せるようにした男性用ズボン下。
【請求項３】
複数下着を着用した高齢者等男性の排尿時の容易さの確保のために、男性用前空きブリーフの開口部を男性用前空きブリーフの中心線上に合わせたものとし高齢者等男性が男性器をスムースに取り出せるようにした男性用ブリーフ。 
【手続補正２】
【補正対象書類名】明細書
【補正対象項目名】全文
【補正方法】変更
【補正の内容】
【考案の詳細な説明】
【技術分野】
【０００１】本考案は高齢者等男性の排尿時に関する。
【背景技術】
【０００２】本考案は、ズボン（ファスナー付き）の下に下着を複数着用している場合の排尿時に複数の下着の開口部の位置がまちまちであるため、男性器取り出しに余分な時間がかかり、過活動膀胱等の高齢者をはじめ尿失禁の不安を感じることが多い。
【先行技術文献】
【非特許文献】
【０００３】
【非特許文献１】なし
【考案の概要】
【考案が解決しようとする課題】
【０００４】  解決しようとする課題は、長ズボン下またはズボン下の開口部とトランクスまたはブリーフの開口部に工夫を加えることによって男性器取り出しに余分な時間をかけず尿失禁の不安を軽減・解消することである。
【課題を解決するための手段】
【０００５】１．長ズボン下またはズボン下の開口部をズボンの開口部ファスナーと縦に同一線上に作りこんだものとする。また、その形状は通常のブリーフにみられる開口部とは異なって、ステテコとかトランクスの開口部形状のように中心線上に直線的に配置した開口部とする。なお、トランクスではない下着即ち開口部付きブリーフで開口部が中心線より離れて右下腹部側にあるような場合には、そのブリーフ自体も開口部が中心線上にくるように変更したものにする必要がある。２．長ズボン下またはズボン下の開口部を横向きに設けたものにする。そしてズボンの開口部ファスナーから容易にその横向き開口部及びその下に装着しているトランクス開口部または変更後のブリーフ開口部に手指が入るものとする。
【考案の効果】
【０００６】１．ズボン開口部ファスナー、長ズボン下またはズボン下の開口部そしてトランクスまたは変更後のブリーフ開口部が同一線上にあるため、男性器取り出しが容易になる。２．ズボンの開口部ファスナーから容易に長ズボン下またはズボン下の横向き開口部及びその下に装着しているトランクスまたは変更後のブリーフ開口部にも容易に手指が入るため、男性器取り出しが容易になる。
【図面の簡単な説明】
【０００７】
【図１】本考案にかかわる解決手段１の男性用長ズボン下、男性用ズボン下の平面図である。なお、変更後のブリーフについては当該長ズボン下、ズボン下の股上部分とする。
【図２】本考案にかかわる解決手段２の男性用長ズボン下、男性用ズボン下の平面図である。なお、変更後のブリーフについては当該長ズボン下、ズボン下の股上部分とする。
【図３】本考案にかかわる解決手段２の男性用長ズボン下、男性用ズボン下の平面図である。なお、変更後のブリーフについては当該長ズボン下、ズボン下の股上部分とする。（図2）と異なる点は、（図2）の開口部は下部に位置しているため手指をかけて若干まくり上げその下のトランクス又は変更後のブリーフ開口部に入るが、（図3）の開口部は上部に位置しており、そこから手指が入りその下のトランクスまたは変更後のブリーフの開口部に入る。
【図４】現状の長ズボン下、ズボン下の平面図である。なお、ブリーフについては当該長ズボン下、ズボン下の股上部分となる。
【符号の説明】
【０００８】１  は、下着の中心線を示す２  は、前身ごろを示す３  は、開口部を示す
【考案を実施するための形態】
【０００９】（図1）に示すように、下着の中心線より左に前身ごろ１を作ることによりズボンの開口部ファスナーから入った手指が直ちに右開口部２（そして、その下のトランクスまたは変更後のブリーフ開口部）に入り男性器の取り出しがスムースに行われ尿失禁の不安の軽減・解消ができる。また、（図2）、（図3）に示すように、長ズボン下またはズボン下に中央線をまたぐ前身ごろ２をつくり、そこに横向きの開口部３をつくることにより、ズボンの開口部ファスナーから入った手指が直ちにその下のトランクスまたは変更後のブリーフ開口部に入り、男性器の取り出しがスムースにおこなわれ尿失禁の不安の軽減・解消ができる。